(57)【特許請求の範囲】
【請求項１】
メータユニットがインストルメントパネルに取外し可能に取付けられるメータユニットの取付構造であって、
前記インストルメントパネルには、前記メータユニットと前記インストルメントパネルとが互いに接離する方向に沿って開口中心線が延びるように形成された係止孔と、前記係止孔の開口中心線と交差する上下方向に開口中心線が延びるように形成された挿入孔とが開口され、
前記メータユニットには、前記挿入孔内に挿入されて前記挿入孔の縁部に当接することによって前記接離する方向への移動が阻止された状態で回動可能に支持される挿入部と、前記係止孔内に挿入されて係止される係止部とが突設され、
前記挿入部が前記メータユニットの下側に配置され、前記係止部が前記メータユニットの上側に配置され、
前記挿入部は、前記挿入孔内に挿入された時に前記挿入孔の縁部と当接して挿入位置を規制すると共に、前記メータユニットを回動させる際の回転中心となる規制部を備え、
前記規制部は、前記挿入部における前記メータユニットの下側から下方に向けて突出する挿入本体の側面から乗員側に向けて突出する突起である
ことを特徴とするメータユニットの取付構造。
【請求項２】
前記挿入部は、前記メータユニットが回動されて前記係止部が前記係止孔内に係止されたとき、前記挿入孔の対向する縁部をそれぞれ表裏面方向から押圧付勢可能な一対の引掛け部を備え、
前記一対の引掛け部の一方は、前記挿入本体における前記規制部より先端側に位置する側面の乗員側に形成され、前記一対の引掛け部の他方は、前記挿入本体における側面のインストルメントパネル側に形成されたことを特徴とする請求項１に記載のメータユニットの取付構造。
【請求項３】
前記挿入孔近傍のインストルメントパネルには、前記挿入部を前記挿入孔に摺動案内する為のガイド部が設けられることを特徴とする請求項１又は２に記載のメータユニットの取付構造。
【発明の詳細な説明】
【技術分野】
【０００１】
本発明は、自動車のインストルメントパネルに搭載されるメータユニットの取付構造に関する。
【背景技術】
【０００２】
従来、自動車のインストルメントパネルにメータユニットを取付ける際には、連通させたメータユニットのねじ孔とパネルの取付孔にメータユニット側からボルトやスクリューねじをねじ込んで、メータユニットをインストルメントパネルに取付けていた。
この様な構成のメータユニットの取付構造によれば、メータユニットをインストルメントパネルに着脱する際には、複数のねじ孔（取付孔）内のボルトやスクリューねじを回す必要があり、部品点数が増加すると共に作業性が悪化し、製造コストの増加を招くという問題があった。
【０００３】
これに対して、特許文献１等には、メータユニットの下端の両側付近に備えられ、横方向に延びる軸部を有する二つの第一の取付部が、インストルメントパネルの下縁側に設けられた二つの第一の固定部に回動自在に取付けられると共に、メータユニットの上端の中央付近に備えられた第二の取付部（ネジ孔）が、インストルメントパネルの第二の固定部（取付孔）に螺着されるメータユニットの固定構造が提案されている。
このようなメータユニットの固定構造によれば、簡単な構成により部品点数が少なくて済み、部品コスト及び組立コストが低減されると共に、メータユニットのインストルメントパネルに対する取付精度と建付けを向上させることができる。
【０００４】
また、特許文献２等には、インストルメントパネルの孔内に通されて該孔内に係止する爪部を備えた計器ユニット（メータユニット）が提案されている。
図１１に示すように、上記特許文献２等に開示された計器ユニット１０１は、インストルメントパネル１０２に取り外し可能に取付けられる車両用コンビネーションメータである。
インストルメントパネル１０２は、合成樹脂等で構成されている。インストルメントパネル１０２は、自動車の車体等に固定される。インストルメントパネル１０２は、立壁部１２１と、立壁部１２１から立設した一対の側壁部１２２とを備えている。計器ユニット１０１は、立壁部１２１と側壁部１２２とによって形成される凹部１２３内に位置付けられる。立壁部１２１は、孔１２４ａ、１２４ｂを複数備えている。
【０００５】
計器ユニット１０１は、スピードメータやタコメータ等の表示計器（図示せず）を収容するケース１０３と、表示計器の表示部分１１５ａ，１１５ｂ以外を乗員に対して遮蔽する見返し部材１１３と、計器ユニット１０１内へ埃等が侵入するのを防止する透明カバー（図示せず）等を備えている。
ケース１０３は、硬質の合成樹脂等で構成されており、表ケース１３１と、裏ケース１３２とを備えている。ケース１０３の上側には、第１の爪部１０４が２つ設けられている。第１の爪部１０４は、枠部１４１と、弾性アーム１４２と、係止突起１４３と、係止解除部１０６とを備えており、インストルメントパネル１０２の孔１２４ａ内に通されてこの孔１２４ａ内に係止する。
【０００６】
また、ケース１０３の下側には、第２の爪部１０５が２つ設けられている。第２の爪部１０５も、第１の爪部１０４と同様に、枠部と、弾性アームと、係止突起とを備えており、インストルメントパネル１０２の孔１２４ｂ内に通されてこの孔１２４ｂ内に係止する。
そして、上記計器ユニット１０１をインストルメントパネル１０２に取り付ける際には、まず、計器ユニット１０１の裏面とインストルメントパネル１０２とを相対させ、これらを互いに近づけていく。そして、ケース１０３下側の第２の爪部１０５をインストルメントパネル１０２の孔１２４ｂ内に第２の爪部１０５を挿入（圧入）して係止させる。次いで、ケース１０３上側の第１の爪部１０４をインストルメントパネル１０２の孔１２４ａ内に第１の爪部１０４を挿入（圧入）して係止させる。
【０００７】
一方、計器ユニット１０１をインストルメントパネル１０２から取り外す際には、まず、係止解除部１０６を操作しながら第１の爪部１０４のインストルメントパネル１０２の孔１２４ａ内への係止を解除する。次いで、計器ユニット１０１の下側を引っ張り、第２の爪部１０５のインストルメントパネル１０２の孔１２４ｂ内への係止を解除して、計器ユニット１０１を取り外す。
このような計器ユニット１０１によれば、互いの開口中心線が略平行な方向に開口されたインストルメントパネル１０２の孔１２４ａ，１２４ｂ内に通されてこれら孔１２４ａ，１２４ｂ内に係止する第１及び第２の爪部１０４，１０５を備えているので、計器ユニット１０１をボルトやスクリューねじ等によって固定する必要がない。したがって、取り付け時の作業工程数を減少させて作業性を向上させ、計器ユニット１０１を簡単にインストルメントパネル１０２に取り付けることができる。また、部品数を減少させてコストを低減できる。
【先行技術文献】
【特許文献】
【０００８】
【特許文献１】特開２００６−１７５９０４
【特許文献２】特開２００９−２５８０４９
【発明の概要】
【発明が解決しようとする課題】
【０００９】
しかしながら、上記特許文献１等のメータユニットのように上側の固定にネジを使用している固定構造の場合、メータユニットの下端をインストルメントパネルに回動自在に取付ける為にメータユニットに設けられた第一の取付部の軸部や、インストルメントパネルに設けられた第１の固定部の係止部及び係合部が、破損し易いという問題があった。
【００１０】
また、上記特許文献２等の計器ユニット１０１の場合、インストルメントパネル１０２の孔１２４ａ，１２４ｂ内に係止する第１及び第２の爪部１０４，１０５は、取付強度を保つと共にがたつくのを防止するため孔１２４ａ，１２４ｂ内に圧入される。
そこで、インストルメントパネル１０２に対する計器ユニット１０１の組み付け・取り外しには大きな操作力を必要とし、組み付け性・取り外し性の改善が求められていた。また、これら第１及び第２の爪部１０４，１０５の乗員側には、計器ユニット１０１をインストルメントパネル１０２に取付ける際に作業者の手指を押し当てたり、計器ユニット１０１をインストルメントパネル１０２から取り外す際に作業者の手指を引っ掛けたりするための座部１０７，１３８ａを設ける必要があり、爪部近傍が大型化するという問題があった。
【００１１】
本発明は、上述した事情に鑑みてなされたものであり、その目的は、組み付け性・取り外し性を向上させながらコンパクトで丈夫なメータユニットの取付構造を提供することにある。
【課題を解決するための手段】
【００１２】
前述した目的を達成するために、本発明に係るメータユニットの取付構造は、下記（１）〜（３）を特徴としている。
（１）  メータユニットがインストルメントパネルに取外し可能に取付けられるメータユニットの取付構造であって、
前記インストルメントパネルには、前記メータユニットと前記インストルメントパネルとが互いに接離する方向に沿って開口中心線が延びるように形成された係止孔と、前記係止孔の開口中心線と交差する上下方向に開口中心線が延びるように形成された挿入孔とが開口され、
前記メータユニットには、前記挿入孔内に挿入されて前記挿入孔の縁部に当接することによって前記接離する方向への移動が阻止された状態で回動可能に支持される挿入部と、前記係止孔内に挿入されて係止される係止部とが突設され、
前記挿入部が前記メータユニットの下側に配置され、前記係止部が前記メータユニットの上側に配置され、
前記挿入部は、前記挿入孔内に挿入された時に前記挿入孔の縁部と当接して挿入位置を規制すると共に、前記メータユニットを回動させる際の回転中心となる規制部を備え、
前記規制部は、前記挿入部における前記メータユニットの下側から下方に向けて突出する挿入本体の側面から乗員側に向けて突出する突起であること。
（２）  上記（１）の構成のメータユニットの取付構造において、前記挿入部は、前記メータユニットが回動されて前記係止部が前記係止孔内に係止されたとき、前記挿入孔の対向する縁部をそれぞれ表裏面方向から押圧付勢可能な一対の引掛け部を備え、前記一対の引掛け部の一方は、前記挿入本体における前記規制部より先端側に位置する側面の乗員側に形成され、前記一対の引掛け部の他方は、前記挿入本体における側面のインストルメントパネル側に形成されたこと。
（３）  上記（１）又は（２）の構成のメータユニットの取付構造において、前記挿入孔近傍のインストルメントパネルには、前記挿入部を前記挿入孔に摺動案内する為のガイド部が設けられること。
【００１３】
上記（１）の構成のメータユニットの取付構造によれば、メータユニットの挿入部をインストルメントパネルの挿入孔に挿入した後、該挿入部を回転中心としてメータユニットをインストルメントパネル側へ回動することにより、挿入孔の開口中心線に対して開口中心線が交差するインストルメントパネルの係止孔にメータユニットの係止部が挿入されて係止される。そこで、メータユニットの挿入部は、メータユニットの係止部がインストルメントパネルの係止孔に係止されることによって、挿入孔の開口中心線方向に沿った移動が阻止される。即ち、メータユニットの挿入部は、メータユニットとインストルメントパネルとが互いに接離する方向に対し交差して配置され、かつ挿入孔の縁部に当接することによって、上記接離する方向への移動が阻止される構成とされている。
従って、メータユニットの係止部が係止孔に係止されていない状態でメータユニットの挿入部を挿入孔に係脱させる際には、大きな操作力を必要としない。そこで、作業者の手指を引っ掛けたりするための座部等を設ける必要がなく、挿入部近傍が大型化しない。また、メータユニットの挿入部を挿入孔に位置合わせ挿入後、メータユニットを回動しながら係止部の位置合わせをできるので、メータユニットの組付け作業性が向上する。更に、メータユニットの挿入部は、インストルメントパネルの挿入孔に挿入するだけの単純な形状で良いので、容易に剛性の高い形状とすることができる。
また、メータユニットの下側に配置された挿入部がメータユニットの重量を支持しながらメータユニットの上側を回動することができ、メータユニットの組み付け性・取り外し性を更に向上させることができる。
加えて、挿入部が挿入孔内に挿入された時に規制部が挿入孔の縁部と当接して挿入部の挿入位置を規制すると共に、該規制部がメータユニットを回動させる際の回転中心となるので、メータユニットを安定的に回動することができる。
上記（２）の構成のメータユニットの取付構造によれば、メータユニットが回動されて係止部がインストルメントパネルの係止孔内に係止された際には、挿入部に設けた一対の引掛け部が挿入孔の対向する縁部をそれぞれ表裏面方向から押圧付勢するので、挿入孔に対する挿入部のがたつきが抑制される。
上記（３）の構成のメータユニットの取付構造によれば、ガイド部によりメータユニットの挿入部が挿入孔に摺動案内されるので、挿入部を挿入孔に位置合わせ挿入する際の作業性が向上する。
【発明の効果】
【００１４】
本発明によれば、組み付け性・取り外し性を向上させながらコンパクトで丈夫なメータユニットの取付構造を提供できる。
【００１５】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１６】
【図１】本発明の一実施形態にかかるメータユニットとインストルメントパネルとを示す斜視図である。
【図２】図１に示したメータユニットの背面側からの斜視図である。
【図３】図１に示したメータユニットとインストルメントパネルの組付け前状態を示す縦断面図である。
【図４】図３に示した挿入部と挿入孔の要部拡大斜視図である。
【図５】図３に示した挿入部を挿入孔に挿入する手順を説明するための要部拡大断面図である。
【図６】図３に示した挿入部を挿入孔に挿入する手順を説明するための要部拡大断面図である。
【図７】図３に示した係止部と係止孔の要部拡大斜視図である。
【図８】図３に示したメータユニットの挿入部をインストルメントパネルの挿入孔に挿入した状態を示す縦断面図である。
【図９】図３に示したメータユニットとインストルメントパネルの組付け完了状態を示す縦断面図である。
【図１０】（ａ）は図９に示した係止部の要部拡大断面図であり、（ｂ）は図９に示した挿入部の要部拡大断面図である。
【図１１】従来の計器ユニットの取付構造を説明するための前面側からの斜視図である。
【発明を実施するための形態】
【００１７】
以下、添付図面に基づいて本発明の一実施形態に係るメータユニットの取付構造を詳細に説明する。
図１乃至図３に示すように、本発明の一実施形態に係るメータユニット１は、自動車に搭載されて、乗員に対して車両の状況を表示する車両用コンビネーションメータである。本実施形態において、メータユニット１は、インストルメントパネル２に取外し可能に取付けられる
【００１８】
インストルメントパネル２は、例えば合成樹脂等で構成されている。インストルメントパネル２は、図１に示すように、立壁部２１と、立壁部２１から立設した一対の側壁部２２とを備えている。メータユニット１は、立壁部２１と側壁部２２とによって形成される凹部２３内に位置付けられる。立壁部２１には、互いの開口中心線Ｘ，Ｙが交差する方向に挿入孔２４と係止孔２５とが複数開口されている（図３参照）。
【００１９】
係止孔２５は、メータユニット１とインストルメントパネル２とが互いに接離する（近づいたり離れたりする）方向Ａに沿って開口中心線Ｙが延びるように形成された略矩形状の開口である。一方、挿入孔２４は、係止孔２５の開口中心線Ｙと交差する上下方向に開口中心線Ｘが延びるように形成された略矩形状の開口である。本実施形態では、挿入孔２４と係止孔２５とは、それぞれ２つずつ設けられている。挿入孔２４はメータユニット１の後述する挿入部４を内部に通し、係止孔２５は、係止部５を内部に通す。
【００２０】
更に、挿入孔２４近傍のインストルメントパネル２上面には、挿入部４を挿入孔２４に摺動案内する為のガイド部２７が設けられる（図４参照）。ガイド部２７は、前記接離する方向Ａに沿って挿入孔２４から乗員側に延びるガイド面２７ａと、このガイド面２７ａの両側に突設された一対のガイドリブ２７ｂとを備える。
【００２１】
メータユニット１は、図１に示すように、スピードメータやタコメータ等の表示計器（図示せず）を収容するケース３と、表示計器の表示部分以外を乗員に対して遮蔽する見返し部材１３と、メータユニット１内へ埃等が侵入するのを防止する透明カバー１５等を備えている。
【００２２】
ケース３は、図２に示すように、硬質の合成樹脂等で構成された表ケース３１と、裏ケース３２とを備えている。
表ケース３１は、平板部とこの平板部の周縁から立設した周壁部３４とを備え、乗員から離れる方向に開口した箱状に形成されている。平板部の乗員と相対する外表面には、図示しない表示計器の目盛板が取付けられる。周壁部３４には、表ケース３１の外方向に突出し、後述する挿入部４及び係止部５がそれぞれ連なる台部３７，３８から複数設けられている。
【００２３】
裏ケース３２は、平板部３５と、平板部３５の周縁から立設した周壁部３６とを備え、乗員と相対する方向に開口した箱状に形成されている。裏ケース３２の周壁部３６が表ケース３１の周壁部３４に取付けられて、ケース３が組み立てられる。ケース３は、内部にプリント配線板（図示せず）を収容する。プリント配線板には、表示計器のムーブメント、目盛板や指針用の光源としてのＬＥＤや、これらムーブメント及びＬＥＤ等の動作を制御するためのマイコン等の電子部品等が実装されている。
【００２４】
見返し部材１３は、図１に示すように、表ケース３１の乗員と相対する側に取り付けられている。見返し部材１３には、図示しない表示計器の目盛板の目盛を乗員に対して露出させる複数の露出窓が形成されており、表示部分以外を乗員に対して遮蔽する。
透明カバー１５は、透明性を有した合成樹脂等で構成されている。透明カバー１５は、見返し部材１３の乗員と相対する側に取り付けられ、見返し部材１３の開口を覆って、メータユニット１内へ埃等が侵入するのを防止する。
【００２５】
本実施形態に係るメータユニット１は、さらに、図２に示すように、挿入部４と、係止部５と、座部７とを備えている。
挿入部４は、前述したインストルメントパネル２の挿入孔２４に対応して、略矩形状のケース３の下側の両隅にそれぞれ１つずつ設けられている。
【００２６】
ケース３の下面に突設された挿入部４は、インストルメントパネル２の挿入孔２４に挿入されてメータ前後に回動自在に支持される。
挿入部４は、図３及び図４に示すように、挿入本体４１と、規制部４２と、一対の引掛け部４３ａ，４３ｂとを備えている。
【００２７】
挿入本体４１は、上述した表ケース３１の台部３７に連なり、台部３７から下方（図２中の下方）に向かって突出している。挿入本体４１は、先端が窄まった略くさび形状に形成され、基端が台部３７に連なっている。更に、挿入本体４１の基端側における見かけ上の水平断面形状（肉盗み部を含んだ断面形状）は、インストルメントパネル２の挿入孔２４の略矩形状の開口と略一致している。
【００２８】
規制部４２は、挿入本体４１の基端の乗員側に突設されている。この規制部４２は、挿入部４が挿入孔２４内に挿入された時に該挿入孔２４の縁部と当接して挿入位置を規制すると共に、メータユニット１を回動させる際の回転中心となる。
一対の引掛け部４３ａ，４３ｂは、挿入部４が挿入孔２４内に挿入された後に前記メータユニット１が回動されて係止部５が係止孔２５内に係止されたとき、挿入孔２４の対向する縁部をそれぞれ表裏面方向から押圧付勢して挿入孔２４に対する挿入部４のがたつきを抑制する。
【００２９】
係止部５は、インストルメントパネル２の係止孔２５に対応して、略矩形状のケース３の上側の両隅にそれぞれ１つずつ設けられている。
ケース３の裏面に突設された係止部５は、インストルメントパネル２の係止孔２５内に挿入されてこの係止孔２５内に係止する。係止部５は、図１乃至図３に示すように、枠部５１と、弾性アーム５２と、係止突起５３と、係止解除部６とを備えている。
【００３０】
枠部５１は、上述した表ケース３１の台部３８に連なり、台部３８からインストルメントパネル２に向かって（乗員から離れる方向に）突出している。枠部５１は、Ｕ字状に形成され、両端が台部３８に連なっている。枠部５１の水平方向の厚さは、先端にいくにしたがって徐々に薄くなるように形成されている。
【００３１】
更に、枠部５１の基端側の水平方向の厚さは、インストルメントパネル２の係止孔２５の水平方向の厚さよりも僅かに厚く形成されている。このため、係止部５は係止孔２５に圧入されることになり、その外表面が係止孔２５の内面と接触して、係止部５は係止孔２５との間に摩擦力を生じる。枠部５１は、特に係止部５が水平方向にがたつくのを防止する。
【００３２】
弾性アーム５２は、図３に示すように、枠部５１内に配されている。弾性アーム５２は、前記接離する方向Ａに沿って設けられ、枠部５１の先端からインストルメントパネル２から離れる方向に延びている。弾性アーム５２は、基端側が枠部５１に連なり、先端側が自由端である片持ちアーム状に形成されており、ケース３の長手方向中央に近づくように弾性変形自在に設けられている。そして、弾性アーム５２は、インストルメントパネル２の係止孔２５内に通された係止状態と、係止突起５３が係止孔２５の縁部を乗り越える係止解除状態とに亘って弾性変形自在に設けられている。
【００３３】
係止突起５３は、弾性アーム５２の中央からケース３の長手方向両端に向かって突設されており、先端が枠部５１内から突出している。係止突起５３は、図２及び図８に示すように、インストルメントパネル２と相対する端部に設けられたテーパ面５３ａと、インストルメントパネル２から離れた端部に設けられた当接面５３ｂとを備えている。
【００３４】
テーパ面５３ａは、インストルメントパネル２に近づくにしたがって徐々に弾性アーム５２の外表面に近づくように傾斜しており、メータユニット１をインストルメントパネル２に取り付ける際に、係止孔２５の縁部と接触して弾性アーム５２を弾性変形させる。
当接面５３ｂは、メータユニット１とインストルメントパネル２とが互いに離接する方向Ａに対して直交しており、係止部５がインストルメントパネル２の係止孔２５内に係止すると、係止孔２５の縁部と当接する。
【００３５】
係止解除部６は、図１に示したように、係止部５の弾性アーム５２に連なっており、２つの係止部５のそれぞれに設けられている。係止解除部６は、作業者が操作部６ａをケース３の長手方向中央（係止突起５３の突出方向と反対方向）に押圧付勢することで、弾性アーム５２を上述した係止状態から係止解除状態へと弾性変形させる。これによって、係止突起５３の係止孔２５内への係止を解除して、当接面５３ｂが係止孔２５の縁部と当接するのを解除する。
【００３６】
座部７は、図２に示したように、表ケース３１の上側の両隅に設けられた台部３８に突設され、２つの係止解除部６のそれぞれの近傍に突出している。座部７は、平板状に形成されて、前記離接する方向Ａと直交するように配置されている。
そして、メータユニット１をインストルメントパネル２から取り外す際には、例えば作業者の親指が係止解除部６の操作部６ａを押圧すると共に、他の指が座部７のインストルメントパネル２と相対する外表面に掛けられ、この状態でメータユニット１の上部を引っ張ってインストルメントパネル２から引き離す。これによって、１つの係止部５において、係止突起５３の係止孔２５内への係止を解除する工程と、係止突起５３を係止孔２５内から引き抜く工程とを片手で行うことができる。
【００３７】
次に、上述したメータユニット１をインストルメントパネル２に取り付ける手順を図３〜図１１を参照しながら説明する。
先ず、図３に示すように、メータユニット１の裏面とインストルメントパネル２とを相対させ、これらを矢印Ａ方向に沿って互いに近づけていく。そして、ケース３の下面に突設された挿入部４をインストルメントパネル２の挿入孔２４に挿入する。
【００３８】
この際、挿入孔２４近傍のインストルメントパネル２上面に設けたガイド部２７によって、挿入部４を摺動案内することができる。即ち、図４及び図５に示すように、挿入部４の先端をガイド面２７ａに当接させてメータユニット１を支持させた状態で、メータユニット１をインストルメントパネル２に近づけていけば、一対のガイドリブ２７ｂによりケース３の長手方向移動を規制された挿入部４は挿入孔２４に向かって摺動する。
【００３９】
そして、図６に示すように、挿入孔２４が開口された位置に挿入部４が達すると、挿入部４はメータユニット１の自重により下方の挿入孔２４内に挿入される。挿入孔２４内に挿入された挿入部４は、規制部４２が挿入孔２４の縁部上面と当接することにより、挿入位置が規制される。この状態において、図７に示すように、メータユニット１の上側の両隅に設けられた各係止部５が、インストルメントパネル２の係止孔２５に対峙するように設定されている。
【００４０】
この様に、挿入孔２４近傍のインストルメントパネル２上面にガイド部２７を設けたことにより、作業者は直接目視することができないメータユニット１の挿入部４を挿入孔２４内に容易に挿入することができるので、挿入部４を挿入孔２４に位置合わせ挿入する際の作業性が向上する。
【００４１】
次に、挿入孔２４内に挿入された挿入部４を回転中心として、メータユニット１をインストルメントパネル２側へ回動する。即ち、図８に示すように、メータユニット１の上部（例えば、座部７）をインストルメントパネル２側（図８中左側）へ押し、挿入孔２４の縁部と当接している規制部４２を回転中心としてメータユニット１をインストルメントパネル２側へ回動させる。
【００４２】
すると、挿入孔２４の開口中心線Ｘに対して開口中心線Ｙが交差するインストルメントパネル２の係止孔２５に、メータユニット１の上側に設けられた係止部５が挿入されて係止される。係止部５が係止孔２５内に挿入されていくと、係止突起５３のテーパ面５３ａが係止孔２５の縁部に接触して、弾性アーム５２を弾性変形させる。さらに挿入していくと、係止突起５３が係止孔２５の縁部を乗り越えて、係止部５が係止孔２５内に係止される。
【００４３】
更に、図１０の（ａ）に示すように、係止孔２５内への係止部５の係止が完了するまでメータユニット１がインストルメントパネル２側へ回動させられると、図１０の（ｂ）に示すように、挿入部４に形成された一対の引掛け部４３ａ，４３ｂが、挿入孔２４の対向する縁部をそれぞれ表裏面方向から押圧付勢して挿入孔２４に対する挿入部４のがたつきを抑制する。即ち、メータユニット１の取り付け完了時には、挿入部４における規制部４２の先端側に形成された引掛け部４３ａが挿入孔２４の縁部を裏面方向（図中下方）から押圧付勢し、挿入部４における基端のインストルメントパネル２側に形成された引掛け部４３ｂが挿入孔２４の縁部を表面方向（図中上方）から押圧付勢する。そこで、挿入孔２４に挿入された挿入部４は、がたつきなく固定される。
【００４４】
即ち、メータユニット１の挿入部４は、メータユニット１の係止部５がインストルメントパネル２の係止孔２５に係止されることによって、挿入孔２４の開口中心線Ｘ方向に沿った移動が阻止される。即ち、メータユニット１の挿入部４は、メータユニット１とインストルメントパネル２とが互いに接離する方向Ａに対し交差して配置され、かつ挿入孔２４の縁部に当接することによって、上記接離する方向Ａへの移動が阻止される構成とされている。その結果、図９に示すように、メータユニット１がインストルメントパネル２に取り付けられる。
【００４５】
次に、上述したメータユニット１をインストルメントパネル２から取り外す手順を説明する。
先ず、作業者は、親指で係止解除部６の操作部６ａを押圧すると共に他の指を座部７に引っ掛けた状態でメータユニット１の上部を引っ張り、挿入孔２４内に挿入された挿入部４を回転中心としてメータユニット１を乗員側へ回動することにより、係止部５の係止孔２５内への係止を解除する。
【００４６】
次いで、メータユニット１を持ち上げながらインストルメントパネル２から引き離すことにより、挿入孔２４内に挿入された挿入部４を引き抜いて、メータユニット１を取出す。この際、挿入部４は挿入孔２４に挿入されているだけなので、大きな引き抜き力を必要としない。
【００４７】
従って、上述した本実施形態に係るメータユニット１の取付構造によれば、メータユニット１の係止部５がインストルメントパネル２の係止孔２５に係止されていない状態でメータユニット１の挿入部４をインストルメントパネル２の挿入孔２４に係脱させる際には、大きな操作力を必要としない。そこで、作業者の手指を引っ掛けたりするための座部等を設ける必要がなく、挿入部４近傍が大型化しない。
【００４８】
また、メータユニット１の挿入部４を挿入孔２４に位置合わせ挿入後、メータユニット１を回動しながら係止部５の位置合わせをできるので、メータユニット１の組付け作業性が向上する。
更に、メータユニット１の挿入部４は、インストルメントパネル２の挿入孔２４に挿入するだけの単純な形状で良く、抜けを防止する弾性アームや係止突起等を設ける必要がないので、容易に剛性の高い形状とすることができる。
従って、組み付け性・取り外し性を向上させながらコンパクトで丈夫なメータユニット１の取付構造を提供できる。
【００４９】
尚、本実施形態に係るメータユニット１の取付構造においては、２つの挿入部４がメータユニット１の下側に配置され、２つの係止部５がメータユニット１の上側に配置されるている。そこで、メータユニット１の下側に配置された挿入部４がメータユニット１の重量を支持しながらメータユニット１の上側を回動することができ、メータユニット１の組み付け性・取り外し性を更に向上させている。勿論、本発明のメータユニットの取付構造は、これに限定されるものではなく、互いの開口中心線が交差する方向に開口された挿入孔と係止孔にそれぞれ挿入可能であれば、挿入部と係止部の配置や数を変更することもできる。
【００５０】
また、本発明のメータユニットの取付構造に係るメータユニット、インストルメントパネル、挿入部、挿入孔、係止部、係止孔、規制部、引掛け部及びガイド部等の構成は、上記実施形態の構成に限定されるものではなく、本発明の主旨に基づいて種々の形態を採りうることは云うまでもない。
【符号の説明】
【００５１】
１  メータユニット
２  インストルメントパネル
３  ケース
４  挿入部
５  係止部
２４  挿入孔
２５  係止孔
２７  ガイド部
２７ａ  ガイド面
２７ｂ  ガイドリブ
４１  挿入本体
４２  規制部
４３ａ，４３ｂ  引掛け部
Ａ  接離する方向
Ｘ  挿入孔の開口中心線
Ｙ  係止孔の開口中心線
【図１】
0006006916.tif 000002
【図２】
0006006916.tif 000003
【図３】
0006006916.tif 000004
【図４】
0006006916.tif 000005
【図５】
0006006916.tif 000006
【図６】
0006006916.tif 000007
【図７】
0006006916.tif 000008
【図８】
0006006916.tif 000009
【図９】
0006006916.tif 000010
【図１０】
0006006916.tif 000011
【図１１】
0006006916.tif 000012